(57)【要約】【課題】  例えば物品としてペットボトルを用いる場合、ペットボトルを収納凹部に入れたままでキャップを取り外すことができるカップホルダを提供する。  【解決手段】  カップホルダ１はアウタ部材３と、アウタ部材３に対し上下方向に相対移動可能なインナ部材７とを備える。インナ部材７は円板形状の載置板９を有し、載置板９の端縁にはヒンジ部としてのインテグラルヒンジ１０を介して複数（本例は４つ）の係止爪１１が周方向に等間隔で形成されている。アウタ部材３の内面には、アウタ部材３が下降したとき係止爪１１が接触可能となる位置に３つ一組の突部１２が複数組形成されている。    【選択図】      図１
2005047438.tif 000002
【特許請求の範囲】
【請求項１】
収納凹部を備えたカップホルダにおいて、
前記収納凹部に収容された物品を、回転方向への動きを規制した状態で保持する保持手段を備えたことを特徴とするカップホルダ。
【請求項２】
物品側にすべり止め処理が施されたシート部材を備え、前記保持手段は前記シート部材を介して前記物品を保持することを特徴とする請求項１に記載のカップホルダ。
【請求項３】
前記保持手段は、ホルダケースの内面に形成された突部と、前記ホルダケースに対し相対移動可能で、ヒンジ部を支点として回動可能な係止爪を有する可動部材と、前記可動部材を上方へ付勢する付勢手段とを備え、
物品の前記収納凹部への挿入によって前記可動部材が下方に移動すると、前記係止爪が前記突部に当接して前記ヒンジ部を支点に物品側に回動して前記物品を保持した状態となることを特徴とする請求項１又は２に記載のカップホルダ。
【請求項４】
前記可動部材の係止爪は物品収納状態において前記シート部材に当接しており、前記シート部材の当接面はすべり易く形成されていることを特徴とする請求項３に記載のカップホルダ。
【請求項５】
前記可動部材の係止爪は物品収納状態において前記シート部材に当接しており、前記係止爪の前記シート部材との当接面はすべり易く形成されていることを特徴とする請求項３に記載のカップホルダ。
【請求項６】
前記係止爪の前記物品との当接面には、すべり止め処理が施されていることを特徴とする請求項１又は３に記載のカップホルダ。
【発明の詳細な説明】
【技術分野】
【０００１】
本発明は、ペットボトルやドリンク缶等を入れておくためのカップホルダに関する。
【背景技術】
【０００２】
従来、一般に車両のインストルメントパネルやコンソール等には、ペットボトルやドリンク缶等の飲料容器を収納するためのカップホルダが取り付けられている。この種のカップホルダは飲料容器を収納するための収納凹部を備えており、この収納凹部としてはただ単に穴からなるものが一般的である。また、これ以外の種類には、収納凹部に入れられた飲料容器が収納凹部から外へ飛び出してしまわないように飲料容器を保持するホールド機構を有するものもある。
【発明の開示】
【発明が解決しようとする課題】
【０００３】
ここで、ホールド機構を有しないカップホルダでは、ペットボトルを収納凹部に入れたまま片手でキャップを取り外そうとしても、キャップの開操作に伴ってペットボトルが収納凹部内で回転してしまう。従って、片手ではキャップが外せず、キャップを外すためにはペットボトルを両手で持つ必要があり、キャップを開ける作業が面倒であるという問題があった。
【０００４】
また、カップホルダにホールド機構が備えられていても、この種のカップホルダは走行中の車両に振動が生じても、カップホルダ内の飲料容器が外へ飛び出ない程度の保持力しかない。このため、このカップホルダにおいてもキャップの開操作に伴うペットボトルの回転方向への動きを規制するような保持力はなく、この場合もキャップの開操作のときはペットボトルを両手で持つ必要があった。
【０００５】
本発明は、例えば物品としてペットボトルを用いる場合、ペットボトルを収納凹部に入れたままでキャップを取り外すことができるカップホルダを提供することにある。
【課題を解決するための手段】
【０００６】
上記問題点を解決するために、請求項１に記載の発明では、収納凹部を備えたカップホルダにおいて、前記収納凹部に収容された物品を、回転方向への動きを規制した状態で保持する保持手段を備えたことを要旨とする。この発明によれば、例えば物品がペットボトルの場合、収納凹部に入れたままペットボトルのキャップを取り外そうと回転方向の力を加えても、ペットボトルの本体は保持手段によってその動きが規制されるので、加えた力でキャップのみを回すことが可能となり、収納凹部に入れたままキャップを取り外すことが可能となる。
【０００７】
請求項２に記載の発明では、請求項１に記載の発明において、物品側にすべり止め処理が施されたシート部材を備え、前記保持手段は前記シート部材を介して前記物品を保持することを要旨とする。この発明によれば、請求項１に記載の発明の作用に加え、保持手段はすべり止め処理が施されたシート部材の一側面を物品に当接させて保持するので、物品の回転方向への動きが一層抑制される。従って、例えば物品としてペットボトルを用い、収納凹部に入れたままペットボトルからキャップを取り外す場合、キャップがより一層取り外し易くなる。
【０００８】
請求項３に記載の発明では、請求項１又は２に記載の発明において、前記保持手段は、ホルダケースの内面に形成された突部と、前記ホルダケースに対し相対移動可能で、ヒンジ部を支点として回動可能な係止爪を有する可動部材と、前記可動部材を上方へ付勢する付勢手段とを備え、物品の前記収納凹部への挿入によって前記可動部材が下方に移動すると、前記係止爪が前記突部に当接して前記ヒンジ部を支点に物品側に回動して前記物品を保持した状態となることを要旨とする。この発明によれば、請求項１又は２に記載の発明の作用に加え、可動部材は付勢手段によって物品を振動吸収可能に支持するので、例えば物品がペットボトルの場合、ペットボトル内の液体がこぼれ難くなる。
【０００９】
請求項４に記載の発明では、請求項３に記載の発明において、前記可動部材の係止片は物品収納状態において前記シート部材に当接しており、前記シート部材の当接面はすべり易く形成されていることを要旨とする。この発明によれば、請求項３に記載の発明の作用に加え、すべり易いシート部材の当接面が作用して可動部材がスムーズに移動することになり、保持手段の保持力に抗して物品を収納凹部から取り出したとき、可動部材をほぼ確実に元に位置に戻すことが可能となる。
【００１０】
請求項５に記載の発明では、請求項３に記載の発明において、前記可動部材の係止爪は物品収納状態において前記シート部材に当接しており、前記係止爪の前記シート部材との当接面はすべり易く形成されていることを要旨とする。この発明によれば、請求項３に記載の発明の作用に加え、すべり易い係止爪の当接面が作用して可動部材がスムーズに移動することになり、保持手段の保持力に抗して物品を収納凹部から取り出したとき、可動部材をほぼ確実に元に位置に戻すことが可能となる。
【００１１】
請求項６に記載の発明では、請求項１又は３に記載の発明において、前記係止爪の前記物品との当接面には、すべり止め処理が施されていることを要旨とする。この発明によれば、請求項１又は３に記載の発明の作用に加え、保持手段はすべり止め処理が施された係止爪の当接面を物品に当接させて保持するので、物品の回転方向への動きが一層抑制される。従って、例えば物品としてペットボトルを用い、収納凹部に入れたままペットボトルからキャップを取り外す場合、キャップがより一層取り外し易くなる。
【発明の効果】
【００１２】
本発明によれば、例えば物品としてペットボトルを用いる場合、ペットボトルを収納凹部に入れたままでキャップを取り外すことができる。s
【発明を実施するための最良の形態】
【００１３】
以下、本発明を具体化したカップホルダの一実施形態を図１〜図４に従って説明する。
図１及び図２に示すように、カップホルダ１は物品としてのペットボトルＰやドリンク缶等の飲料容器をホールドするために使用され、車両のセンターコンソール２等に取り付けられる。図１〜図３に示すように、カップホルダ１はホルダケースとしての有底筒形状のアウタ部材３を備え、その内部を飲料容器を収納する収納凹部４としている。アウタ部材３はの開口状態には、内側に延出するとともに先端部位が下方に延びる延出部５が周方向全域に形成されている。
【００１４】
図１及び図２に示すように、アウタ部材３の内部には、シート部材としての円筒シート６が取り付けられている。円筒シート６はその上端が接着剤等によりアウタ部材３の延出部５に固着されており、下端が開放されたフリーの状態になっている。円筒シート６は内周面６ａにすべり止め処理が施されており、外周面６ｂにはすべり性がよく剛性力の高いプラスチックシート６ｃが積層固着されている。
【００１５】
図１、図２及び図４に示すように、アウタ部材３の内部には、アウタ部材３に対し上下方向に相対移動可能な可動部材としてのインナ部材７が収容されている。アウタ部材３とインナ部材７との間には、インナ部材７を上側に付勢する付勢手段としての押しバネ８が介装されている。インナ部材７は、カップホルダ１に収納したペットボトルＰの底部を支持する円板形状の載置板９を有している。載置板９の端縁にはヒンジ部としてのインテグラルヒンジ１０を介して複数（本例は４つ）の係止爪１１が周方向に等間隔で形成され、図１及び図２に示すように係止爪１１はアウタ部材３の内周面と円筒シート６のプラスチックシート６ｃとの間に配置されている。
【００１６】
一方、アウタ部材３の内面には、インナ部材７が下降したとき係止爪１１の外面が接触可能となる位置に３つ一組の突部１２が複数組（本例は四組）形成されている。また、アウタ部材３の内面には上下方向に延びる一対の案内溝１３が形成され、インナ部材７の載置板の端縁には案内溝１３に係合可能な一対の突片１４が形成されている。インナ部材７は、この案内溝１３と突片１４との係合によって昇降が案内される。なお、インナ部材７、押しバネ８及び突部１２が保持手段を構成する。
【００１７】
従って、押しバネ８のバネ力に抗してアウタ部材３を案内溝１３に沿って下降させると、係止爪１１が突部１２と当接してインテグラルヒンジ１０を支点として内側に回動し、係止爪１１が収納凹部４の内側に突出した図２に示す状態となる。係止爪１１の下端部外面及び突部１２の上端部位には互いに当接可能な斜面１１ａ，１２ａが形成されている。係止爪１１のインテグラルヒンジ１０を支点とした内側への回動は、これら斜面１１ａ，１２ａによって円滑に行われる。
【００１８】
ここで、係止爪１１の爪高さＬ１や突部１２の高さＬ２は、インナ部材７が最下位置に位置した図２に示す状態のとき、収納凹部４に入れられたペットボトルＰの回転方向（図２に示す矢印Ａ方向）への動きを規制することが可能な値に設定されている。係止爪１１の爪高さＬ１や突部１２の高さＬ２は、所望する保持力に合わせて適宜設定変更可能である。
【００１９】
さて、カップホルダ１にペットボトルＰを入れると、インナ部材７はペットボトルＰの挿入動作に伴って図１に示す状態から下降して図２に示す状態になる。このとき、係止爪１１は突部１２によって起き上がり、円筒シート６を介してペットボトルＰを回転しないように保持する。従って、ペットボトルＰをカップホルダ１に入れたまま片手でキャップを外す作業を行っても、ペットボトルＰが回転することはなく、キャップを簡単に外すことが可能となる。一方、ペットボトルＰをカップホルダ１から抜くと、押しバネ８の付勢力によってインナ部材７が元の上昇位置（図１に示す状態）に戻る。
【００２０】
本実施形態によれば、以下のような効果を得ることができる。
（１）収納凹部４にペットボトルＰを入れてインナ部材７を下降させれば、アウタ部材３の内面の突部１２によってインナ部材７の係止爪１１が起き上がり、この係止爪１１によりペットボトルＰを収納凹部４内で回転しないようにした。従って、ペットボトルＰを収納凹部４に入れたまま片手でキャップを外すことができる。
【００２１】
（２）係止爪１１はすべり止め処理が施された円筒シート６の内周面６ａをペットボトルＰに当接させて保持するので、ペットボトルＰの回転方向の動きを一層抑制することができ、キャップを一層外れ易くすることができる。
【００２２】
（３）インナ部材７にインテグラルヒンジ１０を介して回動可能な係止爪１１を設け、アウタ部材３の内面に突部１２を設けるだけの構成であるので、部品点数が少ない簡単な構成で済み、この構成を取り入れるにあたって大幅なコストアップも要しない。
【００２３】
（４）アウタ部材３とインナ部材７との間に押しバネ８を設けたので、ペットボトルＰをカップホルダ１から外したとき、インナ部材７を自動で元の位置に戻すことができる。
（５）円筒シート６の外周面側がすべり性の高いプラスチックシート６ｃとなっているので、円筒シート６の係止爪１１に対する当接面がすべり易くなる。従って、インナ部材７の上下方向の移動がスムーズになり、ペットボトルＰをカップホルダ１から外したとき、インナ部材７をほぼ確実に元の位置に戻すことができる。
【００２４】
（６）係止爪１１は互いに対向するように二組形成されているので、ペットボトルＰをより強固に保持することができる。
（７）係止爪１１はインテグラルヒンジ１０を介して載置板９に一体形成されているので、例えば別体である場合に比べて部品点数が増えず、構成が複雑化しない。
【００２５】
なお、本実施形態は前記に限らず、以下の態様に変更してもよい。
・  係止爪１１の個数は４個に限らず、１〜３個、或いは５個以上でもよい。特に係止爪１１が１個の場合、ペットボトルＰは係止爪１１とアウタ部材３の内周面との間に保持される。
【００２６】
・  円筒シート６の外周面にプラスチックシート６ｃを設けることに限定されない。例えば、プラスチックシート６ｃを省略し、係止爪１１の円筒シート６との当接面にプラスチック材等を取り付けて、すべり易くしてもよい。
【００２７】
・  必ずしも円筒シート６は必要なく、これを省略してもよい。この場合、係止爪１１は直にペットボトルＰを保持することとなる。
・  円筒シート６を省略した場合、係止爪１１においてペットボトルＰとの当接面にすべり止め処理を施してもよい。
【００２８】
・  付勢手段は押しバネに限らず、例えばゴムやスポンジ等を用いてもよく、下降したインナ部材７を上方に付勢可能であれば特に限定されない。
・  カップホルダ１の取り付け先は、センターコンソール２に限らず、例えば車両のインストルメントパネルでもよい。
【図面の簡単な説明】
【００２９】
【図１】一実施形態におけるカップホルダの断面図。
【図２】ペットボトルを収納したときのカップホルダの断面図。
【図３】アウタ部材の模式斜視図。
【図４】インナ部材の模式斜視図。
【符号の説明】
【００３０】
１…カップホルダ、３…ホルダケースとしてのアウタ部材、４…収納凹部、６…シート部材としての円筒シート、７…保持手段及び可動部材を構成するインナ部材、８…保持手段及び付勢手段を構成する押しバネ１０…ヒンジ部としてのインテグラルヒンジ、１１…係止爪、１２…保持手段を構成する突部、Ｐ…物品としてのペットボトル。
【図１】
2005047438.tif 000003
【図２】
2005047438.tif 000004
【図３】
2005047438.tif 000005
【図４】
2005047438.tif 000006